(57)【要約】【課題】液晶表示パネル上に明るく認知されるホットスポット現象を防止する。【解決手段】反射シート、少なくとも１つの拡散シート、少なくとも１つのプリズムシートと複数の発光ダイオードを収納するための収納空間を有するモールドフレーム、及びモールドフレームの収納空間に収納された反射シート、プリズムシート、複数の発光ダイオードと拡散シートを粘着させ、収納空間内に固定されるようにし、複数の発光ダイオードにより照射された光が外側方向に反射されるのを遮断するための遮光テープを備え、遮光テープ下面の全体領域の中で、複数の発光ダイオードと垂直方向に対応される複数の第１着色領域には第１色が着色され、遮光テープ下面の全体領域の中で、複数の第１着色領域以外の第２着色領域には、第１色とは異なる第２色が着色され、第１色の反射率を第２色よりも相対的に減少させる。【選択図】図４Ｂ
2007324112.tif 000002
【特許請求の範囲】
【請求項１】
反射シート、少なくとも１つの拡散シート、少なくとも１つのプリズムシートと複数の発光ダイオードを収納するための収納空間を有するモールドフレームと、
前記モールドフレームの収納空間に収納された前記反射シート、前記プリズムシート、複数の発光ダイオードと前記拡散シートを粘着させ、前記収納空間内に固定されるようにし、前記複数の発光ダイオードにより照射された光が外側方向に反射されることを遮断するための遮光テープとを備え、
前記遮光テープの一側面の全体領域のうち、前記複数の発光ダイオードと垂直方向に対応する複数の第１着色領域には、第１色が着色され、前記遮光テープの一側面の全体領域のうち、前記複数の第１着色領域以外の第２着色領域には、前記第１色とは異なる第２色が着色され、前記第１色の反射率を前記第２色よりも相対的に減少させる
ことを特徴とする液晶表示素子のバックライトユニット。
【請求項２】
前記第１色は、黒色であり、前記第２色は、白色または灰色のいずれかである
ことを特徴とする請求項１に記載の液晶表示素子のバックライトユニット。
【請求項３】
前記第１色は、灰色であり、前記第２色は、白色である
ことを特徴とする請求項１に記載の液晶表示素子のバックライトユニット。
【請求項４】
前記第１色は、白色であり、前記第２色は、銀色である
ことを特徴とする請求項１に記載の液晶表示素子のバックライトユニット。
【請求項５】
前記銀色は、金属材料をコーティングして前記第２着色領域に着色させる
ことを特徴とする請求項４に記載の液晶表示素子のバックライトユニット。
【発明の詳細な説明】
【技術分野】
【０００１】
本発明は、携帯電話などに用いられる小型液晶表示素子に関し、特に小型液晶表示素子の光源の位置部分が液晶表示パネル上に明るく認知されるホットスポット（Hot Spot）現象を防止できるバックライトユニットに関する。
【背景技術】
【０００２】
液晶表示素子には、液晶パネルの背面に光源としてバックライトユニットが配置されるものがある。このようなバックライトユニットとしては、液晶表示パネルの背面に複数の発光ダイオードが配置され、前記発光ダイオードは、点光源として発光し、液晶表示パネルの各ピクセルに光を照射する。
【０００３】
従来のバックライトユニットは、点光を照射する複数の発光ダイオードを備えているが、携帯電話などでは、前記発光ダイオードと液晶表示パネルが携帯電話の上部ハウジングに一体化されて実装されるため、テレビ受像機などのような大型電子機器とは異なり、前記発光ダイオードと液晶表示パネルが非常に近接して位置する。これにより、前記発光ダイオードが発光される時、液晶表示パネル上に前記発光ダイオードの位置部分と発光ダイオードが配置されない部分が区別されるように認知されるホットスポット現象が生じ、これにより液晶表示パネルの外見品位が劣る不具合がある。
【発明の開示】
【発明が解決しようとする課題】
【０００４】
本発明は、上記のような不具合を解決するためのものであり、液晶表示素子の光源の位置部分が液晶表示パネル上に明るく認知されるホットスポット現象を防止することにより、液晶表示パネルの外見品位を向上できるバックライトユニットを提供する。
【課題を解決するための手段】
【０００５】
このような目的を達成するため、本発明は、反射シート、少なくとも１つの拡散シート、少なくとも１つのプリズムシートと複数の発光ダイオードを収納するための収納空間を有するモールドフレーム、及び前記モールドフレームの収納空間に収納された前記反射シート、前記プリズムシート、複数の発光ダイオードと前記拡散シートを粘着させ、前記収納空間内に固定されるようにし、前記複数の発光ダイオードにより照射された光が外側方向に反射されることを遮断するための遮光テープを備えるが、前記遮光テープ下面の全体領域のうち、前記複数の発光ダイオードと垂直方向に対応する複数の第１着色領域には、第１色が着色され、前記遮光テープ下面の全体領域のうち、前記複数の第１着色領域以外の第２着色領域には、前記第１色とは異なる第２色が着色され、前記第１色の反射率を前記第２色よりも相対的に減少させることを特徴とする。
【発明の効果】
【０００６】
本発明によれば、光源の位置部分における反射率を光源の配置されない部分に比べ相対的に減少させることで、液晶表示素子の光源に用いられる遮光テープ下面の明度が対比されるようにして、光源の位置部分で光を吸収すると共に、光源の配置されない部分で光を反射して、液晶表示素子の光源に用いられる遮光テープ下面に着色される色による反射率を区別されるようにし、小型液晶表示素子の光源の位置部分が液晶表示パネル上に明るく認知されるホットスポット現象を防止する。これにより、液晶表示パネルの外見品位を向上できる。
【発明を実施するための最良の形態】
【０００７】
以下、添付の図を参照して本発明の好ましい実施の形態について詳しく説明する。図１は、本発明の実施の形態に係る液晶表示素子のバックライトユニットの分解斜視図であり、液晶表示パネル（図示せず）の背面に配置されるバックライトユニットを示す。
【０００８】
図１を参照すると、本発明のバックライトユニットは、収納空間を持つモールドフレーム２１０と、点光を発生する複数の発光ダイオード２２０と、発光ダイオード２２０から照射される光を液晶表示パネルに反射させるための反射シート２３０と、発光ダイオード２２０から照射される点光を面光に変換させ、液晶表示パネル方向に導くための導光板２４０と、導光板２４０から導かれた光を拡散させるための第１の拡散シート２５０−１と、発光ダイオード２２０に接続されるＦＰＣ（Flexible Printed Circuit）２６０と、第１の拡散シート２５０−１により拡散された光を液晶表示パネル方向に集光させるための第１及び第２のプリズムシート２７０−１、２７０−２と、第１及び第２のプリズムシート２７０−１、２７０−２により集光された光を拡散させるための第２の拡散シート２５０−２と、液晶表示パネルの外側に外れる光を遮断させるための遮光テープ２８０とを備える。
【０００９】
モールドフレーム２１０の上部には、図２に示すように、収納空間２１１が形成されるが、この収納空間２１１には、複数の発光ダイオード２２０、反射シート２３０、導光板２４０、第１の拡散シート２５０−１、ＦＰＣ２６０、第１及び第２のプリズムシート２７０−１、２７０−２、第２の拡散シート２５０−２及び遮光テープ２８０が順に積層されて収納され、反射シート２３０が最も低い下段部に位置し、遮光テープ２８０が最も高い上段部に位置して収納状態を固定する。
【００１０】
反射シート２３０は、モールドフレーム２１０の収納空間２１１の底面に接触されるように配置され、発光ダイオード２２０から照射される光を液晶表示パネル方向に反射させる。
【００１１】
導光板２４０は、モールドフレーム２１０の収納空間２１１に実装されるが、反射シート２３０の上部と第１の拡散シート２５０−１下部の間に配置され、発光ダイオード２２０から照射される点光を面光に変換させて液晶表示パネル方向に導光させる。このような導光板２４０の下段部には、図３に示すように、一定間隔毎に離隔されて配列された複数のドット２４１からなる導光板パターン２４２が形成される。
【００１２】
このような導光板２４０は、発光ダイオード２２０から側面に入射される点光を内部で全反射させた後、全反射された光を導光板パターン２４２に形成された複数のドット２４１により乱反射させて面光にし、この面光を自身の全体面に導光させる。
【００１３】
第１の拡散シート２５０−１は、モールドフレーム２１０の収納空間２１１に実装されるが、導光板２４０の上部と第１のプリズムシート２７０−１下部の間に配置され、導光板２４０から出光される面光を拡散させる。もし、導光板パターン２４２のドット２４１から乱反射されて導光される面光を拡散させないと、液晶表示パネルに光が点状に見えることもあるので、これを防止するために、第１の拡散シート２５０−１は、導光板２４０により乱反射されて導光される面光を拡散させるのである。
【００１４】
ＦＰＣ２６０は、第１の拡散シート２５０−１上部と第１のプリズムシート２７０−１下部との間に位置され、モールドフレーム２１０の収納空間２１１に実装される。ＦＰＣ２６０は、第１の拡散シート２５０−１と第１のプリズムシート２７０−１に比べ非常に小さな広さと長さを持つため、第１の拡散シート２５０−１と第１のプリズムシート２７０−１の一側面に偏って位置する。このようなＦＰＣ２６０の一側面には発光ダイオード２２０が接続される。
【００１５】
第１のプリズムシート２７０−１は、モールドフレーム２１０の収納空間２１１に実装されるが、拡散シート２５０−１上部と第２のプリズムシート２７０−２下部の間に配置され、第１の拡散シート２５０−１により拡散された光を液晶表示パネル方向に集光させる。
【００１６】
第２のプリズムシート２７０-２は、モールドフレーム２１０の収納空間２１１に実装されるが、第１のプリズムシート２７０−１上部と第２の拡散シート２８０下部の間に配置され、第１のプリズムシート２７０−１により集光された光を更に液晶表示パネル方向に集光させる。
【００１７】
第２の拡散シート２５０-２は、モールドフレーム２１０の収納空間２１１に実装されるが、第２のプリズムシート２７０−２上部に配置され、第１のプリズムシート２７０−１により集光された光を液晶表示パネルに拡散させる。
【００１８】
遮光テープ２８０は、第２の拡散シート２５０−２上部の側面部とモールドフレーム２１０に共通粘着される。このような遮光テープ２８０は、上面と下面に全て粘着剤が塗布されているため、下面の粘着剤は、モールドフレーム２１０の収納空間２１１に順に積層されるように実装された複数の発光ダイオード２２０、反射シート２３０、導光板２４０、第１の拡散シート２５０−１、ＦＰＣ２６０、第１及び第２のプリズムシート２７０−１、２７０−２と第２の拡散シート２５０−２をモールドフレーム２１０に固定させ、また、上面の粘着剤は、液晶表示パネルをバックライトユニットに固定させる。
【００１９】
このような遮光テープ２８０は、図４Ａのように、内側が開いた四角形の縁状でなり、特に、遮光テープ２８０の上面全体には、粘着剤が塗布されると共に、光を吸収する黒色が着色される。即ち、図４Ａは、黒色で着色された遮光テープ２８０の上面を示す。
【００２０】
図４Ｂに示すように、遮光テープ２８０の下面全体には、粘着剤が塗布されると共に、明度が異なる色が対比されるように着色されるが、これに対してより具体的に示すと次のとおりである。但し、ＦＰＣ２６０の一側面には、３つの発光ダイオード２２０が一定間隔に離隔されて接続されているとする。
【００２１】
一つ目の配色方法について示すと、遮光テープ２８０下面の全体領域の中で３つの発光ダイオード２２０と垂直方向に対応する第１〜第３着色領域２８１〜２８３には、白色と明度が対比される黒色が着色され、遮光テープ２８０下面の全体領域の中で第１〜第３の着色領域２８１〜２８３以外の第４着色領域２８４には、明度が最も高い白色が着色される。このように遮光テープ２８０下面に白色と黒色が対比されるように配色される場合、第１〜第３着色領域２８１〜２８３に着色された黒色が３つの発光ダイオード２２０から明るく照射される光を吸収すると共に、第４着色領域２８４に着色された白色が薄く照射される光を反射することにより、第１〜第３着色領域２８１〜２８３が暗くなると共に、第４着色領域２８４が明るくなる。これに従って、本発明は、光源の位置部分が液晶表示パネル上に明るく認知されるホットスポット現象を防止し、これにより液晶表示パネルの外見品位を向上することができる。
【００２２】
二つ目の配色方法について示すと、遮光テープ２８０下面の全体領域の中で３つの発光ダイオード２２０と垂直方向に対応する第１〜第３着色領域２８１〜２８３には、白色より相対的に明度が低い灰色が着色され、遮光テープ２８０下面の全体領域の中で第１〜第３着色領域２８１〜２８３以外の第４着色領域２８４には、明度が最も高い白色が着色される。このように遮光テープ２８０の下面に白色と灰色を配色して明度が差等されるようにする場合、第１〜第３着色領域２８１〜２８３に着色された灰色により反射される光の反射率が、第４着色領域２８４に着色された白色により反射される光の反射率より相対的に低いため、第１〜第３着色領域２８１〜２８３が暗くなると共に、第４着色領域２８４が明るくなる。これに従って、本発明は、光源の位置部分が液晶表示パネル上に明るく認知されるホットスポット現象を防止し、これにより液晶表示パネルの外見品位を向上することができる。
【００２３】
三つ目の配色方法について示すと、遮光テープ２８０下面の全体領域の中で３つの発光ダイオード２２０と垂直方向に対応する第１〜第３着色領域２８１〜２８３には、明度が最も低い黒色が着色され、遮光テープ２８０下面の全体領域の中で第１〜第３着色領域２８１〜２８３以外の第４着色領域２８４には、黒色より相対的に明度が高い灰色が着色される。このように遮光テープ２８０の下面に黒色と灰色を配色して明度が差等されるようにする場合、第４着色領域２８４に着色された灰色の反射率が白色の反射率より低いが、第１〜第３着色領域２８１〜２８３に着色された黒色が３つの発光ダイオード２２０から明るく照射される光を吸収することにより、第１〜第３着色領域２８１〜２８３が暗くなると共に、第４着色領域２８４が明るくなる。これに従って、本発明は、光源の位置部分が液晶表示パネル上に明るく認知されるホットスポット現象を防止し、これにより液晶表示パネルの外見品位を向上することができる。
【００２４】
四つ目の配色方法は、遮光テープ２８０下面の全体領域の中で３つの発光ダイオード２２０と垂直方向に対応する第１〜第３着色領域２８１〜２８３には、白色が着色され、遮光テープ２８０下面の全体領域の中で第１〜第３着色領域２８１〜２８３以外の第４着色領域２８４には、白色より反射率が高い銀色が着色される。ここで、第４着色領域２８４には、反射率が高い金属材料をコーティングして銀色を着色させるため、第４着色領域２８４に着色された銀色は、第１〜第３着色領域２８１〜２８３に着色された白色より高い反射率を有する。このように、第１〜第３着色領域２８１〜２８３に明度が高い白色を着色しても、第４着色領域２８４に着色された銀色が白色より高い反射率を有するため、第１~第３着色領域２８１〜２８３が暗くなると共に、第４着色領域２８４が明るくなる。これに従って、本発明は、光源の位置部分が液晶表示パネル上に明るく認知されるホットスポット現象を防止し、これにより液晶表示パネルの外見品位を向上することができる。
【００２５】
一方、本発明の技術的思想は、遮光テープ２８０下面の全体領域の中で３つの発光ダイオード２２０と垂直方向に対応する第１〜第３着色領域２８１〜２８３が暗くなると共に、第１〜第３着色領域２８１〜２８３以外の第４着色領域２８４が明るくなるようにするため、明度が対比されるか、区別されるように配色をすることにあるので、前述のような４つの配色方法で本発明の配色方法が限定されるのではない。
【００２６】
以上で示すように、本発明は、小型液晶表示素子の光源に用いられる遮光テープの下面の明度が対比されるようにし、光源の位置部分で光を吸収すると共に、光源の配置されない部分で光を反射し、また、小型液晶表示素子の光源に用いられる遮光テープ下面に着色される色による反射率を区別されるようにし、光源の位置部分における反射率を光源の配置されない部分に比べ相対的に減少させることで、小型液晶表示素子の光源の位置部分が液晶表示パネル上に明るく認知されるホットスポット現象を防止し、これにより液晶表示パネルの外見品位を向上することができる。
【図面の簡単な説明】
【００２７】
【図１】本発明の実施の形態に係る液晶表示素子のバックライトユニットの分解斜視図
【図２】図１におけるモールドフレームの斜視図
【図３】図１における導光板の下部に形成された導光板パターンを示す図
【図４Ａ】図１における遮光テープの上面図
【図４Ｂ】図１における遮光テープの下面図
【符号の説明】
【００２８】
２１０：モールドフレーム
２２０：発光ダイオード
２３０：反射シート
２４０：導光板
２５０−１、２５０−２：第１及び第２の拡散シート
２６０：ＦＰＣ
２７０−１、２７０−２：第１及び第２のプリズムシート
２８０：遮光テープ
【図１】
2007324112.tif 000003
【図２】
2007324112.tif 000004
【図３】
2007324112.tif 000005
【図４Ａ】
2007324112.tif 000006
【図４Ｂ】
2007324112.tif 000007